(57)【特許請求の範囲】
【請求項１】
ｎ台（ｎは正の整数）のノードからなるネットワークであって、
前記ｎ台のノードうちの任意ノードに物理的に接続される制御端末を有し、
前記ｎ台のノード各々に同一の初期ノード情報を予め登録し、前記ｎ台のノード各々の間を論理的に接続不可としておき、
前記制御端末が、物理的に接続される第１のノードに対して前記第１のノード固有のノード情報を設定した後、前記制御端末が前記第１のノードを介して第２のノードに対して前記第２のノード固有のノード情報を設定し、前記第１及び第２のノードを介して前記第２のノード以降のノードに対してそれら固有のノード情報を順次設定して前記ｎ台のノード各々の固有のノード情報が重複しないように順次設定することを特徴とするネットワーク。
【請求項２】
前記第１のノードに対して前記初期ノード情報を基にログインして前記第１のノードにおけるノード情報を前記初期ノード情報から前記第１のノード固有のノード情報に変更する第１の処理と、
前記第２のノードを前記第１のノードに論理的に接続し、前記第２のノードに対して前記初期ノード情報を基にログインして前記第２のノードにおけるノード情報を前記初期ノード情報から前記第２のノード固有のノード情報に変更する第２の処理と、
前記第２のノードに接続されている第３のノードから第ｎのノードまで各々のノード情報を前記初期ノード情報からそれぞれ固有のノード情報への変更を前記第２の処理と同様にして行う第３の処理とを前記制御端末にて行うようにしたことを特徴とする請求項１記載のネットワーク。
【請求項３】
前記ｎ台のノード各々の固有のノード情報を蓄積するデータベースを前記制御端末に含み、
前記制御端末が、前記第１の処理から前記第３の処理を行うことで前記ｎ台のノード各々のノード情報を初期ノード情報から前記データベースの値に変更することを特徴とする請求項２記載のネットワーク。
【請求項４】
ｎ台（ｎは正の整数）のノードからなるネットワークのノード情報設定方法であって、
前記ｎ台のノード各々に同一の初期ノード情報を予め登録し、前記ｎ台のノード各々の間を論理的に接続不可としておき、
前記ｎ台のノードうちの任意ノードに物理的に接続される制御端末が物理的に接続される第１のノードに対して前記第１のノード固有のノード情報を設定した後、前記制御端末が前記第１のノードを介して第２のノードに対して前記第２のノード固有のノード情報を設定し、前記第１及び第２のノードを介して前記第２のノード以降のノードに対してそれら固有のノード情報を順次設定して前記ｎ台のノード各々の固有のノード情報が重複しないように順次設定することを特徴とするノード情報設定方法。
【請求項５】
前記第１のノードに対して前記初期ノード情報を基にログインして前記第１のノードにおけるノード情報を前記初期ノード情報から前記第１のノード固有のノード情報に変更する第１のステップと、
前記第２のノードを前記第１のノードに論理的に接続し、前記第２のノードに対して前記初期ノード情報を基にログインして前記第２のノードにおけるノード情報を前記初期ノード情報から前記第２のノード固有のノード情報に変更する第２のステップと、
前記第２のノードに接続されている第３のノードから第ｎのノードまで各々のノード情報を前記初期ノード情報からそれぞれ固有のノード情報への変更を前記第２の処理と同様にして行う第３のステップとを前記制御端末にて行うようにしたことを特徴とする請求項４記載のノード情報設定方法。
【請求項６】
前記制御端末が、前記第１のステップから前記第３のステップの処理を行うことで前記ｎ台のノード各々のノード情報を初期ノード情報から、前記制御端末に設けられかつ前記ｎ台のノード各々の固有のノード情報を蓄積するデータベースの値に変更するようにしたことを特徴とする請求項５記載のノード情報設定方法。
【請求項７】
同一の初期ノード情報が予め登録されて各々の間が論理的に接続不可とされたｎ台（ｎは正の整数）のノードうちの任意ノードに物理的に接続される制御端末に、前記制御端末が物理的に接続される第１のノードに対して前記第１のノード固有のノード情報を設定した後、前記制御端末が前記第１のノードを介して第２のノードに対して前記第２のノード固有のノード情報を設定し、前記第１及び第２のノードを介して前記第２のノード以降のノードに対してそれら固有のノード情報を順次設定して前記ｎ台のノード各々の固有のノード情報が重複しないように順次設定させるためのプログラム。
【請求項８】
前記制御端末に、
前記第１のノードに対して前記初期ノード情報を基にログインして前記第１のノードにおけるノード情報を前記初期ノード情報から前記第１のノード固有のノード情報に変更する第１の処理と、
前記第２のノードを前記第１のノードに論理的に接続し、前記第２のノードに対して前記初期ノード情報を基にログインして前記第２のノードにおけるノード情報を前記初期ノード情報から前記第２のノード固有のノード情報に変更する第２の処理と、
前記第２のノードに接続されている第３のノードから第ｎのノードまで各々のノード情報を前記初期ノード情報からそれぞれ固有のノード情報への変更を前記第２の処理と同様にして行う第３の処理とを実行させるための請求項７記載のプログラム。
【発明の詳細な説明】
【０００１】
【発明の属する技術分野】
本発明はネットワーク及びそれに用いるノード情報設定方法並びにそのプログラムに関し、特にネットワーク内の各ノードのノード情報の設定方法に関する。
【０００２】
【従来の技術】
従来、複数のノードからなるネットワークにおいては、各ノードに個別にかつ重複しないようにアドレスやノード名等のノード情報を設定しなければならない。そのため、各ノードをネットワークに接続する前に、制御端末を用いて各ノードへのノード情報の設定を行っている。
【０００３】
【発明が解決しようとする課題】
上述した従来のネットワークでは、制御端末によって各ノードにノード情報を設定してからネットワークに接続する必要があるという問題がある。また、遠隔地から各ノードに対して設定を行うことができない。
【０００４】
そこで、本発明の目的は上記の問題点を解消し、各ノードに対して物理的に接続する制御端末を不要とすることができ、遠隔地から各ノードに対してそのノード情報を設定することができるネットワーク及びそれに用いるノード情報設定方法並びにそのプログラムを提供することにある。
【０００５】
【課題を解決するための手段】
本発明によるネットワークは、ｎ台（ｎは正の整数）のノードからなるネットワークであって、
前記ｎ台のノードうちの任意ノードに物理的に接続される制御端末を備え、
前記ｎ台のノード各々に同一の初期ノード情報を予め登録し、前記ｎ台のノード各々の間を論理的に接続不可としておき、
前記制御端末が、物理的に接続される第１のノードに対して前記第１のノード固有のノード情報を設定した後、前記制御端末が前記第１のノードを介して第２のノードに対して前記第２のノード固有のノード情報を設定し、前記第１及び第２のノードを介して前記第２のノード以降のノードに対してそれら固有のノード情報を順次設定して前記ｎ台のノード各々の固有のノード情報が重複しないように順次設定している。
【０００６】
本発明によるノード情報設定方法は、ｎ台（ｎは正の整数）のノードからなるネットワークのノード情報設定方法であって、
前記ｎ台のノード各々に同一の初期ノード情報を予め登録し、前記ｎ台のノード各々の間を論理的に接続不可としておき、
前記ｎ台のノードうちの任意ノードに物理的に接続される制御端末が物理的に接続される第１のノードに対して前記第１のノード固有のノード情報を設定した後、前記制御端末が前記第１のノードを介して第２のノードに対して前記第２のノード固有のノード情報を設定し、前記第１及び第２のノードを介して前記第２のノード以降のノードに対してそれら固有のノード情報を順次設定して前記ｎ台のノード各々の固有のノード情報が重複しないように順次設定している。
【０００７】
本発明によるノード情報設定方法のプログラムは、同一の初期ノード情報が予め登録されて各々の間が論理的に接続不可とされたｎ台（ｎは正の整数）のノードうちの任意ノードに物理的に接続される制御端末に、前記制御端末が物理的に接続される第１のノードに対して前記第１のノード固有のノード情報を設定した後、前記制御端末が前記第１のノードを介して第２のノードに対して前記第２のノード固有のノード情報を設定し、前記第１及び第２のノードを介して前記第２のノード以降のノードに対してそれら固有のノード情報を順次設定して前記ｎ台のノード各々の固有のノード情報が重複しないように順次設定させている。
【０００８】
すなわち、本発明のネットワークは、ネットワーク上に存在するｎ台（ｎは正の整数）のノード各々のノード情報を遠隔地にある制御端末から共通に設定し、運用状態に移行する機能を提供するものである。
【０００９】
より具体的に説明すると、本発明のネットワークでは、ネットワーク上にｎ台のノードが存在し、ｎ台のノードの中の任意の１台に各ノードを制御するための制御端末を接続し、各ノードにノード情報の初期値として予め設定されたノード名及びアドレスを登録しておく。この場合、各ノード間は論理的にネットワークがつながらない状態になっており、制御端末には予め各ノードのノード情報の初期値が設定されている。
【００１０】
このような初期状態から、各ノードがネットワークのノードとして機能するように、各ノードのノード情報を重複しないように設定する。その設定手順は、制御端末が接続された第１のノードに対して初期値を基にログインし、第１のノードのノード情報を初期値からそのノード固有のノード名及びアドレスに変更し、第１のノードとそのノードに接続されている第２のノードとの間のネットワークを接続する。
【００１１】
続いて、第２のノードに対して初期値を基に制御端末から第１のノードを通してログインし、第２のノードのノード情報を初期値からそのノード固有のノード名及びアドレスに変更し、第２のノードとそのノードに接続されている第３のノードとの間のネットワークを接続する。同様の処理を行って、ネットワークを構成する最後のノードまでノード情報の変更を行う。
【００１２】
上述したようにノード情報の設定を、つまりネットワーク上のｎ台の各ノードのノード情報を制御端末から順次設定することで、ネットワークが運用状態に移行することが可能となる。
【００１３】
【発明の実施の形態】
次に、本発明の実施例について図面を参照して説明する。図１（ａ）〜（ｅ）は本発明の一実施例によるネットワークの各ノードに対するノード情報の設定手順を示す図であり、図２は本発明の一実施例によるネットワークの各ノードに対するノード情報の設定手順を示すフローチャートである。これら図１（ａ）〜（ｅ）及び図２を参照して本発明の一実施例によるネットワークの各ノードに対するノード情報の設定手順について説明する。
【００１４】
図１（ａ）を参照すると、本実施例によるネットワークは順番に接続されたノード１〜４と、ノード１に接続されかつノード１〜４各々を管理するための制御端末５と、制御端末５が実行するプログラムを格納する記録媒体６とから構成されている。尚、図１（ｂ）〜（ｅ）では記録媒体６の図示を省略しており、記録媒体６としてはＲＯＭ（リードオンリメモリ）やＩＣ（集積回路）メモリ等が使用可能である。
【００１５】
ノード１〜４各々にはノード情報の初期値としてノード名＝ＮＯＤＥ、アドレス＝＃１００が設定されている。ノード１〜４各々には同じ初期ノード情報が設定されているため、ネットワーク上で同時に存在することができず、各ノード１〜４間は論理的に切り離され、各ノード１〜４間で通信パケット等の送受信を行わないようになっている。
【００１６】
制御端末５はノード１に物理的に接続され、ノード１の初期ノード情報（ノード名＝ＮＯＤＥ、アドレス＝＃１００）がわかっているため、制御端末５からノード１へログインすることができる。制御端末５はノード１にログインした後（図２ステップＳ１）、ノード１のノード名及びアドレスを初期値以外に変更し（図２ステップＳ２）、ノード１とノード２との間の論理的なネットワーク接続を行う（図２ステップＳ３〜Ｓ５）。この時点で、ネットワーク上にノード１とノード２とが存在することになる［図１（ｂ）参照］。
【００１７】
ノード１とノード２とが接続されることによって、制御端末５からはノード２に対して初期ノード情報（ノード名＝ＮＯＤＥ、アドレス＝＃１００）を用いてログインすることができる。制御端末５はノード２にログインした後（図２ステップＳ６，Ｓ７）、ノード２のノード名及びアドレスを初期値以外に変更し（図２ステップＳ２）、ノード２とノード３との間の論理的なネットワーク接続を行う（図２ステップＳ３〜Ｓ５）。この時点で、ネットワーク上にノード１とノード２とノード３とが存在することになる［図１（ｃ）参照］。
【００１８】
ノード２とノード３とが接続されることによって、制御端末５からはノード３に対して初期ノード情報（ノード名＝ＮＯＤＥ、アドレス＝＃１００）を用いてログインすることができる。制御端末５はノード３にログインした後（図２ステップＳ６，Ｓ７）、ノード３のノード名及びアドレスを初期値以外に変更し（図２ステップＳ２）、ノード３とノード４との間の論理的なネットワーク接続を行う（図２ステップＳ３〜Ｓ５）。この時点で、ネットワーク上にノード１とノード２とノード３とノード４とが存在することになる［図１（ｄ）参照］。
【００１９】
ノード３とノード４とが接続されることによって、制御端末５からはノード４に対して初期ノード情報（ノード名＝ＮＯＤＥ、アドレス＝＃１００）を用いてログインすることができる。制御端末５はノード４にログインした後（図２ステップＳ６，Ｓ７）、ノード４のノード名及びアドレスを初期値以外に変更する（図２ステップＳ２）［図１（ｅ）参照］。
【００２０】
上記の処理をノード４まで行うと、図１（ｅ）に示すように、ネットワーク上のノード１〜４に対してそれぞれ異なるノード情報を１台の制御端末５から共通に設定することができる。
【００２１】
以下、ノード１に対応してノード名＝ＮＯＤＥａ、アドレス＝＃１０１が設定され、ノード２に対応してノード名＝ＮＯＤＥｂ、アドレス＝＃１０２が設定され、ノード３に対応してノード名＝ＮＯＤＥｃ、アドレス＝＃１０３が設定され、ノード４に対応してノード名＝ＮＯＤＥｄ、アドレス＝＃１０４が設定される場合について、具体例に説明する。
【００２２】
図１（ａ）に示すようなネットワークが存在する時、制御端末５から物理的に接続されているノード１へ、初期ノード名＝ＮＯＤＥ、初期アドレス＝＃１００を使ってログインする。制御端末５はノード１にログインした後、ノード１のノード名及びアドレスを、ノード名＝ＮＯＤＥａ、アドレス＝＃１０１のように、初期値以外でネットワーク上の他のノード２〜４と重複しない値に変更する。また、ノード１とノード２との間はネットワーク接続が論理的に切れている状態であるが、これを論理的に接続された状態とする。
【００２３】
ノード１とノード２との間を論理的に接続することによって、制御端末５はノード２へもログインすることができる状態になる［図１（ｂ）参照］。続いて、制御端末５はノード２へ、初期ノード名＝ＮＯＤＥ、初期アドレス＝＃１００を使ってログインする。制御端末５はノード２にログインした後、ノード２のノード名及びアドレスを、ノード名＝ＮＯＤＥｂ、アドレス＝＃１０２のように、初期値以外でネットワーク上の他のノード１，３，４と重複しない値に変更する。また、ノード２とノード３との間はネットワーク接続が論理的に切れている状態であるが、これを論理的に接続された状態とする。
【００２４】
ノード２とノード３との間を論理的に接続することによって、制御端末５はノード３へもログインすることができる状態になる［図１（ｃ）参照］。続いて、制御端末５はノード３へ、初期ノード名＝ＮＯＤＥ、初期アドレス＝＃１００を使ってログインする。制御端末５はノード３にログインした後、ノード３のノード名及びアドレスを、ノード名＝ＮＯＤＥｃ、アドレス＝＃１０３のように、初期値以外でネットワーク上の他のノード１，２，４と重複しない値に変更する。また、ノード３とノード４との間はネットワーク接続が論理的に切れている状態であるが、これを論理的に接続された状態とする。
【００２５】
ノード３とノード４との間を論理的に接続することによって、制御端末５はノード４へもログインすることができる状態になる［図１（ｄ）参照］。続いて制御端末５はノード４へ、初期ノード名＝ＮＯＤＥ、初期アドレス＝＃１００を使ってログインする。制御端末５はノード４にログインした後、ノード４のノード名及びアドレスを、ノード名＝ＮＯＤＥｄ、アドレス＝＃１０４のように、初期値以外でネットワーク上の他のノード１〜３と重複しない値に変更する。
【００２６】
上記のような処理を行うことで、最終的に、図１（ｅ）に示すように、ネットワーク上の各ノードのノード情報が初期値以外の値に設定され、ネットワーク上のノードに対してそれぞれ異なるノード情報を１台の制御端末５から共通に設定することができる。
【００２７】
このように、ある１つのノード１に物理的に接続された制御端末５を用いて、そのノード１に順次接続されるノード２〜４各々に対してノード情報を順番に設定することによって、ｎ台のノードのノード情報を設定する際に、各ノードに対して個別にかつ物理的に接続する制御端末が不要となる。
【００２８】
また、各ノード１〜４に対して共通の初期ノード情報を登録しておくことによって、ノード情報を設定する時に予め決められた初期ノード情報を使って各ノード１〜４にログインすることができる。
【００２９】
さらに、制御端末５がノード１〜４各々に対して初期ノード情報を用いてログインし、それぞれ固有のノード情報に設定することによって、遠隔地からｎ台のノード情報を設定することができる。
【００３０】
図３は本発明の他の実施例によるネットワークの初期構成を示す図であり、図４は本発明の他の実施例によるネットワークの最終構成を示す図である。図３において、本発明の他の実施例によるネットワークではノード１１〜１４各々が時計回りに順番に接続され、ノード１１に制御端末１５が接続され、制御端末１５に記録媒体１６（図４では図示を省略）が接続されている。制御端末１５は記録媒体１６に格納されたプログラムを実行することで下記のような処理を行う。
【００３１】
各ノード１１〜１４にはネットワーク接続するための情報としてノード名及びアドレスが必要であるが、初期ノード情報としてノード名＝ＮＯＤＥ、アドレス＝＃１００が登録されている。各ノード１１〜１４に同じノード情報が初期値として設定されているため、各ノード１１〜１４はネットワーク上に同時に存在することができない。そのため、初期状態として各ノード１１〜１４間は論理的に接続が解除されており、各ノード１１〜１４間で通信パケット等の送受信を行わないようになっている。
【００３２】
制御端末１５はノード１１に物理的に接続されており、ノード１１のノード情報（初期ノード情報）がわかっているため、制御端末１５からノード１１へログインすることができる。制御端末１５はノード１１にログインした後、ノード１１のノード名及びアドレスを初期値以外に変更し、ノード１１とノード１２との間の論理的なネットワーク接続を行う。この時点で、ネットワーク上にはノード１１とノード１２とが存在することになる。
【００３３】
ノード１１とノード１２とが接続されることによって、制御端末１５はノード１２へ初期ノード情報（ノード名＝ＮＯＤＥ、アドレス＝＃１００）を用いてログインすることができる。制御端末１５はノード１２にログインした後、ノード１２のノード名及びアドレスを初期値以外に変更し、ノード１２とノード１３との間の論理的なネットワーク接続を行う。この時点で、ネットワーク上にはノード１１とノード１２とノード１３とが存在することになる。
【００３４】
ノード１２とノード１３とが接続されることによって、制御端末１５はノード１３へ初期ノード情報（ノード名＝ＮＯＤＥ、アドレス＝＃１００）を用いてログインすることができる。制御端末１５はノード１３にログインした後、ノード１３のノード名及びアドレスを初期値以外に変更し、ノード１３とノード１４との間の論理的なネットワーク接続を行う。この時点で、ネットワーク上にはノード１１とノード１２とノード１３とノード１４とが存在することになる。
【００３５】
ノード１３とノード１４とが接続されることによって、制御端末１５はノード１４へ初期ノード情報（ノード名＝ＮＯＤＥ、アドレス＝＃１００）を用いてログインすることができる。制御端末１５はノード１４にログインした後、ノード１４のノード名及びアドレスを初期値以外に変更、ノード１４とノード１１との間の論理的なネットワーク接続を行う。
【００３６】
上述した処理をノード１４まで順次行うことによって、図４に示すように、ネットワーク上のノード１１〜１４に対してそれぞれ異なるノード情報を１台の制御端末１５から共通に設定することができる。
【００３７】
以下、ノード１１に対応してノード名＝ＮＯＤＥａ、アドレス＝＃１０１が設定され、ノード１２に対応してノード名＝ＮＯＤＥｂ、アドレス＝＃１０２が設定され、ノード１３に対応してノード名＝ＮＯＤＥｃ、アドレス＝＃１０３が設定され、ノード１４に対応してノード名＝ＮＯＤＥｄ、アドレス＝＃１０４が設定される場合について、具体例に説明する。
【００３８】
図３に示すようなネットワークが存在する時、制御端末１５から物理的に接続されているノード１１へ、初期ノード名＝ＮＯＤＥ、初期アドレス＝＃１００を使ってログインする。制御端末１５はノード１１にログインした後、ノード１１のノード名及びアドレスを、ノード名＝ＮＯＤＥａ、アドレス＝＃１０１のように、初期値以外でネットワーク上の他のノード１２〜１４と重複しない値に変更する。また、ノード１１とノード１２との間はネットワーク接続が論理的に切れている状態であるが、これを論理的に接続された状態とする。
【００３９】
ノード１１とノード１２との間を論理的に接続することによって、制御端末１５はノード１２へもログインすることができる状態になる。続いて、制御端末１５はノード１２へ、初期ノード名＝ＮＯＤＥ、初期アドレス＝＃１００を使ってログインする。制御端末１５はノード１２にログインした後、ノード１２のノード名及びアドレスを、ノード名＝ＮＯＤＥｂ、アドレス＝＃１０２のように、初期値以外でネットワーク上の他のノード１１，１３，１４と重複しない値に変更する。また、ノード１２とノード１３との間はネットワーク接続が論理的に切れている状態であるが、これを論理的に接続された状態とする。
【００４０】
ノード１２とノード１３との間を論理的に接続することによって、制御端末１５はノード１３へもログインすることができる状態になる。続いて、制御端末１５はノード１３へ、初期ノード名＝ＮＯＤＥ、初期アドレス＝＃１００を使ってログインする。制御端末１５はノード１３にログインした後、ノード１３のノード名及びアドレスを、ノード名＝ＮＯＤＥｃ、アドレス＝＃１０３のように、初期値以外でネットワーク上の他のノード１１，１２，１４と重複しない値に変更する。また、ノード１３とノード１４との間はネットワーク接続が論理的に切れている状態であるが、これを論理的に接続された状態とする。
【００４１】
ノード１３とノード１４との間を論理的に接続することによって、制御端末１５はノード１４へもログインすることができる状態になる。続いて、制御端末１５はノード１４へ、初期ノード名＝ＮＯＤＥ、初期アドレス＝＃１００を使ってログインする。制御端末１５はノード１４にログインした後、ノード１４のノード名及びアドレスを、ノード名＝ＮＯＤＥｄ、アドレス＝＃１０４のように、初期値以外でネットワーク上の他のノード１１〜１３と重複しない値に変更する。また、ノード１４とノード１１との間はネットワーク接続が論理的に切れている状態であるが、これを論理的に接続された状態とする。
【００４２】
上記のような処理を行うことで、最終的に、図４に示すように、ネットワーク上の各ノード１１〜１４のノード情報が初期値以外の値に設定され、ネットワーク上の各ノード１１〜１４に対してそれぞれ異なるノード情報を１台の制御端末１５から共通に設定することができる。
【００４３】
図５は本発明の別の実施例によるネットワークの初期構成を示す図であり、図６は本発明の別の実施例によるネットワークの最終構成を示す図である。図５において、本発明の別の実施例によるネットワークでは４台のノード２１〜２４が順番に接続され、そのうちの１つのノード２１に制御端末２５が接続され、制御端末２５に記録媒体２６（図６では図示を省略）が接続されている。
【００４４】
制御端末２５は記録媒体２６に格納されたプログラムを実行することで下記のような処理を行う。また、制御端末２５にはデータベース２５ａとしてネットワーク上の各ノード２１〜２４のノード情報が登録されている。
【００４５】
各ノード２１〜２４にはネットワーク接続するための情報としてノード名及びアドレスが必要であるが、初期値としてノード名＝ＮＯＤＥ、アドレス＝＃１００が予め登録されている。各ノード２１〜２４で同じ情報が初期値として設定されているため、各ノード２１〜２４はネットワーク上に同時に存在することができない。そのため、初期状態として各ノード２１〜２４間は論理的に接続が解除されており、各ノード２１〜２４間で通信パケット等の送受信を行わないようになっている。
【００４６】
制御端末２５はノード２１に物理的に接続され、ノード２１のノード情報（初期値）がわかっているため、制御端末２５からノード２１へログインすることができる。制御端末２５はノード２１にログインした後、ノード２１のノード名及びアドレスを制御端末２５に保持されているデータベース２５ａの値に変更し、ノード２１とノード２２との間の論理的なネットワーク接続を行う。この時点で、ネットワーク上にノード２１とノード２２とが存在することになる。
【００４７】
ノード２１とノード２２とが接続されることによって、制御端末２５はノード２２へ、初期ノード情報（ノード名＝ＮＯＤＥ、アドレス＝＃１００）を用いてログインすることができる。制御端末２５はノード２２のノード名及びアドレスを制御端末２５に保持されているデータベース２５ａの値に変更し、ノード２２とノード２３との間の論理的なネットワーク接続を行う。この時点で、ネットワーク上にノード２１とノード２２とノード２３とが存在することになる。
【００４８】
ノード２２とノード２３とが接続されることによって、制御端末２５はノード２３へ、初期ノード情報（ノード名＝ＮＯＤＥ、アドレス＝＃１００）を用いてログインすることができる。制御端末２５はノード２３のノード名及びアドレスを制御端末２５に保持されているデータベース２５ａの値に変更し、ノード２３とノード２４との間の論理的なネットワーク接続を行う。この時点で、ネットワーク上にノード２１とノード２２とノード２３とノード２４とが存在することになる。
【００４９】
ノード２３とノード２４とが接続されることによって、制御端末２５はノード２４へ、初期ノード情報（ノード名＝ＮＯＤＥ、アドレス＝＃１００）を用いてログインすることができる。制御端末２５はノード２４のノード名及びアドレスを制御端末２５に保持されているデータベース２５ａの値に変更する。
【００５０】
上記のような処理をノード２４まで行うことで、図６に示すように、ネットワーク上のノード２１〜２４に対してそれぞれ異なるノード情報を１台の制御端末２５に保存されているデータベース２５ａの情報のように設定することができる。
【００５１】
以下、制御端末２５に保存されているデータベース２５ａに、ノード２１に対応してノード名＝ＮＯＤＥａ、アドレス＝＃１０１が、ノード２２に対応してノード名＝ＮＯＤＥｂ、アドレス＝＃１０２が、ノード２３に対応してノード名＝ＮＯＤＥｃ、アドレス＝＃１０３が、ノード２４に対応してノード名＝ＮＯＤＥｄ、アドレス＝＃１０４が保存されている場合について、具体例に説明する。
【００５２】
図５に示すようなネットワークが存在する時、制御端末２５から物理的に接続されているノード２１へ、初期ノード名＝ＮＯＤＥ、初期アドレス＝＃１００を使ってログインする。制御端末２５はノード２１へログインした後、ノード２１のノード名及びアドレスを、制御端末２５に保存されているデータベース２５ａの値によって、ノード名＝ＮＯＤＥａ、アドレス＝＃１０１のように変更する。また、ノード２１とノード２２との間はネットワーク接続が論理的に切れている状態であるが、これを論理的に接続された状態とする。
【００５３】
ノード２１とノード２２との間を論理的に接続することによって、制御端末２５はノード２２へもログインすることができる状態になる。続いて、制御端末２５はノード２２へ、初期ノード名＝ＮＯＤＥ、初期アドレス＝＃１００を使ってログインする。制御端末２５はノード２２にログインした後、ノード２２のノード名及びアドレスを、制御端末２５に保存されているデータベース２５ａの値によって、ノード名＝ＮＯＤＥｂ、アドレス＝＃１０２のように変更する。また、ノード２２とノード２３との間はネットワーク接続が論理的に切れている状態であるが、これを論理的に接続された状態とする。
【００５４】
ノード２２とノード２３との間を論理的に接続することによって、制御端末２５はノード２３へもログインすることができる状態になる。続いて、制御端末２５はノード２３へ、初期ノード名＝ＮＯＤＥ、初期アドレス＝＃１００を使ってログインする。制御端末２５はノード２３にログインした後、ノード２３のノード名及びアドレスを、制御端末２５に保存されているデータベース２５ａの値によって、ノード名＝ＮＯＤＥｃ、アドレス＝＃１０３のように変更する。また、ノード２３とノード２４との間はネットワーク接続が論理的に切れている状態であるが、これを論理的に接続された状態とする。
【００５５】
ノード２３とノード２４との間を論理的に接続することによって、制御端末２５はノード２４へもログインすることができる状態になる。続いて、制御端末２５はノード２４へ、初期ノード名＝ＮＯＤＥ、初期アドレス＝＃１００を使ってログインする。制御端末２５はノード２４にログインした後、ノード２４のノード名及びアドレスを、制御端末２５に保存されているデータベース２５ａの値によって、ノード名＝ＮＯＤＥｄ、アドレス＝＃１０４のように変更する。
【００５６】
上記のような処理を行うことで、最終的に、図６に示すように、ネットワーク上の各ノード２１〜２４のノード情報が初期値以外の値に設定され、ネットワーク上のノード２１〜２４に対してそれぞれ異なるノード情報を制御端末２５に保存されているデータベース２５ａの情報のように設定することができる。
【００５７】
【発明の効果】
以上説明したように本発明によれば、ｎ台（ｎは正の整数）のノードからなるネットワークにおいて、ｎ台のノード各々に同一の初期ノード情報を予め登録しておき、ｎ台のノードうちの任意ノードに物理的に接続される制御端末が初期ノード情報を用いてｎ台のノード各々のノード情報を重複しないように設定することによって、各ノードに対して物理的に接続する制御端末を不要とすることができ、遠隔地から各ノードに対してそのノード情報を設定することができるという効果がある。
【図面の簡単な説明】
【図１】（ａ）〜（ｅ）は本発明の一実施例によるネットワークの各ノードに対するノード情報の設定手順を示す図である。
【図２】本発明の一実施例によるネットワークの各ノードに対するノード情報の設定手順を示すフローチャートである。
【図３】本発明の他の実施例によるネットワークの初期構成を示す図である。
【図４】本発明の他の実施例によるネットワークの最終構成を示す図である。
【図５】本発明の別の実施例によるネットワークの初期構成を示す図である。
【図６】本発明の別の実施例によるネットワークの最終構成を示す図である。
【符号の説明】
１〜４，１１〜１４，２１〜２４  ノード
５，１５，２５  制御端末
６，１６，２６  記録媒体
２５ａ  データベース
【図１】
0003636091.tif 000002
【図２】
0003636091.tif 000003
【図３】
0003636091.tif 000004
【図４】
0003636091.tif 000005
【図５】
0003636091.tif 000006
【図６】
0003636091.tif 000007